(57)【要約】【課題】何らハードウェア機器を付加することなく、簡単かつ安価に盗難を未然に防止する。【解決手段】商用電源の供給が断たれたとき内蔵バッテリを電源として動作し、商用電源が供給されている状態で、商用電源の供給が断たれたか否かを検出する検出手段に対して少なくとも電源が供給されているパワーオフモードにおいて、装置の盗難を防止する盗難防止モードが設定されているか否かを判断する判断手段と、判断手段により盗難防止モードが設定されていると判断されたとき、商用電源の供給が断たれたか否かを検出する検出手段と、検出手段により商用電源の供給が断たれたことが検出されたとき、警報を発する報知手段と、を含む。【選択図】図５
2017097774.tif 000002
【特許請求の範囲】
【請求項１】
商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにおいて、
装置の盗難を防止する盗難防止モードが設定されているか否かを判断する判断手段と、
前記判断手段により前記盗難防止モードが設定されていると判断されたとき、前記商用電源の供給が断たれたか否かを検出する検出手段と、
前記検出手段により前記商用電源の供給が断たれたことが検出されたとき、警報を発する報知手段と、
を含むことを特徴とする情報処理装置。
【請求項２】
前記検出手段により前記商用電源の供給が断たれたことが検出されたとき、前記装置を、前記パワーオフモードから、前記内蔵バッテリによって少なくとも前記報知手段に対して電源を供給する盗難防止検出モードへ移行させるモード制御手段を含むことを特徴とする請求項１に記載の情報処理装置。
【請求項３】
前記装置の電源が前記盗難防止検出モードへ移行すると、前記装置の電源ボタンを無効化するボタン制御部を含むことを特徴とする請求項２に記載の情報処理装置。
【請求項４】
前記警報を停止させるための認証鍵を予め記憶する記憶手段と、
前記警報が発せられているときに入力された入力鍵と前記認証鍵とを比較する比較手段と、をさらに含み、
前記比較手段により前記入力鍵と前記認証鍵とが一致すると判断されたとき、前記モード制御手段は、前記装置の電源を前記盗難防止検出モードから前記パワーオフモードへ移行させることを特徴とする請求項２又は３に記載の情報処理装置。
【請求項５】
前記比較手段により前記入力鍵と前記認証鍵とが一致すると判断されたとき、前記報知手段は、前記警報を停止することを特徴とする請求項４に記載の情報処理装置。
【請求項６】
前記盗難防止モードは、ＢＩＯＳ（Basic Input Output System）メニューにおいて設定されることを特徴とする請求項１から５の何れか１項に記載の情報処理装置。
【請求項７】
前記盗難防止モードは、アプリケーションを起動した状態でＢＩＯＳにアクセスすることにより設定されることを特徴とする請求項１から５の何れか１項に記載の情報処理装置。
【請求項８】
商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにある情報処理装置の制御方法であって、
装置の盗難を防止する盗難防止モードが設定されているか否かを判断する工程と、
前記判断する工程により前記盗難防止モードが設定されていると判断されたとき、前記商用電源が断たれたか否かを検出する工程と、
前記検出する工程により前記商用電源の供給が断たれたことが検出されたとき、警報を発する工程と、
を含むことを特徴とする制御方法。
【請求項９】
商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにある情報処理装置に実行させるためのプログラムであって、
装置の盗難を防止する盗難防止モードが設定されているか否かを判断する処理と、
前記判断する処理により前記盗難防止モードが設定されていると判断されたとき、前記商用電源が断たれたか否かを検出する処理と、
前記検出する処理により前記商用電源の供給が断たれたことが検出されたとき、警報を発する処理と、
を実行させることを特徴とするプログラム。
【発明の詳細な説明】
【技術分野】
【０００１】
本発明は、情報処理装置、情報処理装置の制御方法、及びプログラムに関する。
【背景技術】
【０００２】
量販店や公共施設、オフィス等、不特定多数の人間が行き来する場所において、実機のパーソナルコンピュータ（以下、ＰＣという。）や周辺機器等を商用電源に接続して展示すると、このＰＣや周辺機器等が何者かによって無断で持ち出される危険性があり、これに対して店員等が即座に気付かない場合がある。特に、展示されている場所が多くの人でごった返している場合や、警備員の数が少ない場合、あるいは展示即売会等の場合には、知らないうちにＰＣや周辺機器等が無断で持ち出されるというリスクがある。
【０００３】
特許文献１には、ノート型ＰＣや当該ノート型ＰＣに装着されたＰＣカードの盗難を効果的に防止することを目的として、ＰＣカードにセキュリティモードが設定されている状態で、窃盗者がノート型ＰＣを持ち出そうとすると、ＰＣカードの加速度センサがノート型ＰＣの移動を検出し、スピーカから警告アラームが報音されると共に、ＰＣカードの本体部をノート型ＰＣのＰＣカードスロットに収容したまま、ＰＣカードの本体部と拡張部との連結が解除されることにより、ノート型ＰＣの盗難を防止する技術が開示されている。
【先行技術文献】
【特許文献】
【０００４】
【特許文献１】特開２０１１−０３４４４６号公報
【発明の概要】
【発明が解決しようとする課題】
【０００５】
このように、不特定多数の人間が往来する場所においてＰＣ等を展示する場合、盗難を防止するため、盗難発生時に専用の警報が鳴動する高価なハードウェア機器を、ＰＣ等に接続して用意しておかなければならなかった。例えば、ワイヤーロックに警報器が付いた盗難警報器や、ＡＣ（Alternating Current）アダプタに警報器が付いており、１本のケーブルで警報と充電とが可能な電子機器展示商品用充電器等が知られている。
【０００６】
しかしながら、このようなハードウェア機器を、展示対象であるＰＣ等の数と略同じ数量だけ予め準備する必要があるため、多大なコストと労力が必要になるという問題がある。また、これ等のハードウェア機器自体をも管理する必要かあるため、その分だけ煩雑な手間がかかるという問題がある。さらに、展示が不要又は終了となった場合には、ＰＣ等と共に、これ等のハードウェア機器も片付ける必要があるため、莫大な時間と労力を要するという問題がある。
【０００７】
また、特許文献１に記載された技術では、ＰＣカードというハードウェア機器を別途用意する必要があるため、これ等の問題は依然として解決されないままである。
【０００８】
そこで本発明は、上記従来の問題点に鑑みてなされたもので、何らハードウェア機器を付加することなく、簡単かつ安価に盗難を未然に防止することが可能な情報処理装置、情報処理装置の制御方法、及びプログラムを提供することを目的とする。
【課題を解決するための手段】
【０００９】
上記課題を解決するため、請求項１に記載の本発明における情報処理装置は、商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにおいて、装置の盗難を防止する盗難防止モードが設定されているか否かを判断する判断手段と、前記判断手段により前記盗難防止モードが設定されていると判断されたとき、前記商用電源の供給が断たれたか否かを検出する検出手段と、前記検出手段により前記商用電源の供給が断たれたことが検出されたとき、警報を発する報知手段と、を含むことを特徴とする。
【００１０】
また、上記課題を解決するため、請求項８に記載の情報処理装置の制御方法は、商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにある情報処理装置の制御方法であって、装置の盗難を防止する盗難防止モードが設定されているか否かを判断する工程と、前記判断する工程により前記盗難防止モードが設定されていると判断されたとき、前記商用電源が断たれたか否かを検出する工程と、前記検出する工程により前記商用電源の供給が断たれたことが検出されたとき、警報を発する工程と、を含むことを特徴とする。
【００１１】
さらに、上記課題を解決するため、請求項９に記載の情報処理装置に実行させるプログラムは、商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにある情報処理装置に実行させるためのプログラムであって、装置の盗難を防止する盗難防止モードが設定されているか否かを判断する処理と、前記判断する処理により前記盗難防止モードが設定されていると判断されたとき、前記商用電源が断たれたか否かを検出する処理と、前記検出する処理により前記商用電源の供給が断たれたことが検出されたとき、警報を発する処理と、を実行させることを特徴とする。
【発明の効果】
【００１２】
本発明によれば、何らハードウェア機器を付加することなく、簡単かつ安価に盗難を未然に防止することが可能な情報処理装置、情報処理装置の制御方法、及びプログラムが得られる。
【図面の簡単な説明】
【００１３】
【図１】本発明の実施形態における情報処理装置の一例であるノート型ＰＣが展示されている状態の一例を示す概略図である。
【図２】本発明の実施形態における情報処理装置の一例であるノート型ＰＣの電源端子にＡＣアダプタが接続されている状態の一例を示す概略図である。
【図３】本発明の実施形態における情報処理装置の一例であるノート型ＰＣの電源端子からＡＣアダプタが抜去され警報が鳴動する状態の一例について説明する概略図である。
【図４】本発明の実施形態における情報処理装置の一例であるノート型ＰＣのハードウェア構成の一例について説明するハードウェアブロック図である。
【図５】本発明の実施形態における情報処理装置の一例であるノート型ＰＣのソフトウェア構成の一例について説明する機能ブロック図である。
【図６】本発明の実施形態における情報処理装置の一例であるノート型ＰＣの動作の一例について説明するフロー図である。
【図７】本発明の実施形態における情報処理装置の一例であるノート型ＰＣに接続するＤＣ（Direct Current）プラグの一例について説明する概略図である。
【図８】本発明の実施形態における情報処理装置の一例であるノート型ＰＣの電源端子にＡＣアダプタが接続されている状態の一例について説明する概略図である。
【図９】本発明の実施形態における情報処理装置の一例であるノート型ＰＣの電源端子にＡＣアダプタが接続され、盗難警戒中である旨が明示された状態について説明する概略図である。
【発明を実施するための形態】
【００１４】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、情報処理装置の電源がオフ状態にあるパワーオフモードにあることを前提としている。そして、情報処理装置の盗難を防止する盗難防止モードが作動しているか否かを判断する判断部と、判断部により盗難防止モードが作動していると判断されたとき、情報処理装置に供給されている商用電源が断たれたか否かを検出する検出部と、検出部により商用電源の供給が断たれたことが検出されたとき、警報を発する報知部と、を有することとしている。これにより、何らハードウェア機器を付加することなく、簡単かつ安価に盗難を未然に防止することが可能な情報処理装置、情報処理装置の制御方法、及びプログラムを提供することができるのである。
【００１５】
まず、本発明の実施形態における情報処理装置が展示されている状態の一例について説明する。図１は、本発明の実施形態における情報処理装置の一例であるノート型ＰＣが展示されている状態の一例を示す概略図である。
【００１６】
図１において、情報処理装置の一例であるノート型ＰＣ１００が、展示スペース３００の展示台２００上に載置されている。そして、ノート型ＰＣ１００は、実動作のデモンストレーションのため、商用電源４００からＡＣアダプタ１０１を経由してＤＣ（直流）電源が供給されている。このとき、このノート型ＰＣ１００のデモンストレーションを見た来場者が、ＡＣアダプタ１０１の点線Ａの部分を引っ張ることにより、ノート型ＰＣ１００の電源端子１０２（図２）からＡＣアダプタ１０１を抜き去り、ノート型ＰＣ１００を外部に持ち出すことが考えられる。
【００１７】
なお、ＡＣアダプタ１０１は、通常の場合、展示台２００や展示スペース３００から離れた別の場所に設けられている商用電源４００のコンセントに接続されている。したがって、来場者が商用電源４００のコンセントからＡＣアダプタ１０１を抜き、ノート型ＰＣ１００を外部に持ち出すことは稀であり、点線Ａの部分を引っ張ることによりノート型ＰＣ１００の電源端子１０２からＡＣアダプタ１０１を抜き去り、ノート型ＰＣ１００自体を外部に持ち出すことが一般的である。ただし、本実施形態においては、後述するように、点線Ｂ、点線Ｃ、及び点線Ｄの部分を引っ張ることにより、ノート型ＰＣ１００の電源端子１０２からＡＣアダプタ１０１を抜き去った場合においても、対応することが可能である。
【００１８】
なお、図１においては、説明を分かり易くするために、展示スペース３００の展示台２００上に１台のノート型ＰＣ１００が載置されている場合について説明しているが、展示スペース３００の広さ及び展示台２００の面積は任意の大きさを採り得ることは勿論であり、展示台２００上に任意の台数のノート型ＰＣ１００を載置することも可能である。また、図１に示したＡＣアダプタ１０１の形状は一例であって、様々な形状のＡＣアダプタがあることはいうまでもない。
【００１９】
また、本実施形態においては、情報処理装置の一例として、ノート型ＰＣ１００を挙げて説明を行っているが、ノート型ＰＣに限定されることなく、タブレット端末やスマートフォンといった、任意の情報処理装置が対象となることは勿論である。
【００２０】
次に、図１に示すように、来場者が、ＡＣアダプタ１０１の点線Ａの部分を引っ張ることにより、ノート型ＰＣ１００の電源端子１０２からＡＣアダプタ１０１を抜き去り、ノート型ＰＣ１００を外部に持ち出そうとした場合の本実施形態の動作の概略について図２、図３を用いて説明する。図２は、本発明の実施形態における情報処理装置の一例であるノート型ＰＣの電源端子にＡＣアダプタが接続されている状態の一例を示す概略図である。また、図３は、本発明の実施形態における情報処理装置の一例であるノート型ＰＣの電源端子からＡＣアダプタが抜去され警報が鳴動する状態の一例について説明する概略図である。
【００２１】
本実施形態では、図２に示すようにＡＣアダプタ１０１がノート型ＰＣ１００の電源端子１０２に接続されている状態から、図３に示すように、来場者がＡＣアダプタ１０１の点線Ａ（図１）の部分を引っ張ることによりノート型ＰＣ１００を外部に持ち出そうとしたとき、ノート型ＰＣ１００の外部に何らハードウェア機器を付加することなく、ノート型ＰＣ１００が、ＡＣアダプタ１０１が抜き去られたことを検出して警報を鳴動することが特徴となっている。
【００２２】
なお、本実施形態では、ＡＣアダプタ１０１の点線Ａの部分を引っ張ることにより、ノート型ＰＣ１００を外部に持ち出すことを一例に挙げて説明を行っているが、点線Ｂ、点線Ｃ、及び点線Ｄの部分を引っ張ることにより、ノート型ＰＣ１００を外部に持ち出す場合においても警報を鳴動することが可能である。この本発明の特徴について、以下の図面を用いて詳細に解説する。
【００２３】
まず、本発明の実施形態における情報処理装置のハードウェア構成の一例について説明する。図４は、本発明の実施形態における情報処理装置の一例であるノート型ＰＣのハードウェア構成の一例について説明するハードウェアブロック図である。
【００２４】
図４に示すように、ノート型ＰＣ１００は、ハードウェア構成として、ノート型ＰＣ１００全体を制御するＣＰＵ（Central Processing Unit）（制御部）１５１を備えている。また、各種データ、各種プログラム等を格納するＲＯＭ（Random Access Memory）１５３、ＲＡＭ（Random Access Memory）１５４、及びＨＤＤ（Hard Disk Drive）１５２等の記憶部を備えている。ＣＰＵ（制御部）１５１は、ＲＯＭ１５３に格納された制御プログラムをロードし、ノート型ＰＣ１００の動作によって得た様々なデータをＲＡＭ１５４に展開する。また、ＨＤＤ１５２は、ＣＰＵ（制御部）１５１によって実行されるアプリケーションプログラムや、その実行結果等を格納する。
【００２５】
さらに、ノート型ＰＣ１００は、ユーザがノート型ＰＣ１００に対して指示を与えるキーボード、タッチパッド等からなる入力部１５６と、ＬＣＤ（Liquid Crystal Display）等で構成される表示部１５７と、を備えている。さらに、ＬＥＤ（Light Emitting Diode）、スピーカ等で構成される報知部１５９を備えている。なお、入力部１５６は、表示部１５７のタッチパネルディスプレイに設けられたソフトウェアキーであっても良い。
【００２６】
さらに、ノート型ＰＣ１００は、携帯時の動作電源となるバッテリ部１５８と、バッテリ部１５８を充電したり、据置時の動作電源ともなる商用電源４００からＡＣアダプタ１０１を経由してＤＣ（直流）電源を供給したりする電源インタフェース部１５５と、を備えている。そして、ＣＰＵ１５１、ＨＤＤ１５２、ＲＯＭ１５３、ＲＡＭ１５４、電源インタフェース部１５５、入力部１５６、表示部１５７、バッテリ部１５８、及び報知部１５９が、バス１６０を介して接続されている。
【００２７】
次に、本発明の実施形態における情報処理装置のソフトウェア構成の一例について説明する。図５は、本発明の実施形態における情報処理装置の一例であるノート型ＰＣのソフトウェア構成の一例について説明する機能ブロック図である。
【００２８】
図５に示すように、ノート型ＰＣ１００は、ソフトウェア構成として、モード制御部１７１と、ボタン制御部１７２と、報知制御部１７３と、電源制御部１７４と、から構成される。また、ノート型ＰＣ１００は、盗難防止動作制御部１７５と、電源監視部１７６と、抜去検出部１７７と、から構成される。さらに、ノート型ＰＣ１００は、記憶部１７９と、比較部１７８と、から構成される。
【００２９】
モード制御部１７１は、ノート型ＰＣ１００の電源制御をＡＣＰＩ（Advanced Configuration and Power Interface）で定められたシステムスリーピング状態のＳ０からＳ５の状態制御を行うものである。電源制御部１７４は、モード制御部１７１からの状態制御指示により、ノート型ＰＣ１００の電源状態を制御するものである。また、モード制御部１７１は、ノート型ＰＣ１００を、本実施形態の特徴である盗難防止モードにする機能を有している。盗難防止動作制御部１７５は、モード制御部１７１からの指示により、ノート型ＰＣ１００の盗難防止モードを作動させる。
【００３０】
電源監視部１７６は、ノート型ＰＣ１００の電源端子１０２のＤＣ（直流）電源を監視するものである。抜去検出部１７７は、ノート型ＰＣ１００の電源端子１０２からＡＣアダプタ１０１が抜き去られたことを検出するものである。抜去検出部１７７によってノート型ＰＣ１００の電源端子１０２からＡＣアダプタ１０１が抜き去られたことが検出されると、電源監視部１７６は、電源端子１０２にＤＣ（直流）電源がなくなったことを検出し、モード制御部１７１にその旨通知する。
【００３１】
モード制御部１７１は、電源監視部１７６から電源端子１０２にＤＣ（直流）電源がなくなった旨の通知を受けると、盗難防止動作制御部１７５に対して、ノート型ＰＣ１００の盗難防止検出モードをスタートさせる旨の指示を出す。ボタン制御部１７２は、ノート型ＰＣ１００の電源端子１０２からＡＣアダプタ１０１が抜き去られ、ノート型ＰＣ１００が盗難防止検出モードをスタートさせると、ノート型ＰＣ１００の図示しない電源ボタン（パワーボタン）に対する操作を無効化するものである。
【００３２】
報知制御部１７３は、ノート型ＰＣ１００の電源端子１０２からＡＣアダプタ１０１が抜き去られ、ノート型ＰＣ１００が盗難防止検出モードをスタートさせると、報知部１５９から警報を発するものである。記憶部１７９は、報知部１５９から発せられた警報を停止させるために必要なパスワードを一例とする認証鍵を記憶するものである。比較部１７８は、入力部１５６から入力された入力鍵と、記憶部１７９に予め記憶されたパスワードを一例とする認証鍵とが一致するか否かを比較判断するものである。
【００３３】
そして、本実施形態においては、ノート型ＰＣ１００を盗難防止モードに移行させるための設定を、ＢＩＯＳ（Basic Input Output System）メニューにおいて設定することとしている。すなわち、ＢＩＯＳメニューにおいて、ノート型ＰＣ１００をＡＣＰＩで定められたシステムスリーピング状態のＳ０からＳ５の状態制御を行う電源制御メニューの他に、セキュリティというメニューを追加し、このメニューにおいて、盗難防止モードと警報を停止するためのパスワードを合わせて設定しておくことにより、盗難防止モードが予め用意された状態にしているのである。
【００３４】
また、ＢＩＯＳメニューにおいて盗難防止モードを予め設定しておくことに代えて、ＯＳ（Operating System）のアプリケーションメニューの中からＢＩＯＳのセキュリティメニューに対してアクセスし、盗難防止モードと警報を停止するためのパスワードとを合わせて設定するようにしても良い。これにより、本実施形態において説明しているノート型ＰＣに限定されることなく、盗難防止モードを、タブレット端末やスマートフォン等の情報処理装置においても汎用的に用いることが可能となる。なお、ＢＩＯＳメニューのセキュリティメニューにおいて、ノート型ＰＣ１００を盗難防止モードに移行させる設定をしない場合は、従来通り、ＡＣアダプタ１０１が抜去されても警報は鳴動しない。
【００３５】
そして、図５に示すモード制御部１７１、ボタン制御部１７２、報知制御部１７３、電源制御部１７４、盗難防止動作制御部１７５、電源監視部１７６、抜去検出部１７７、比較部１７８は、図４に示すＣＰＵ１５１（制御部）で実現される。また、図５に示す記憶部１７９は、図４に示すＲＡＭ１５４で実現される。
【００３６】
次に、本発明の実施形態における情報処理装置の動作の一例について説明する。図６は、本発明の実施形態における情報処理装置の一例であるノート型ＰＣの動作の一例について説明するフロー図である。
【００３７】
ステップＳ６０１の処理において、モード制御部（図５）１７１は、ノート型ＰＣ１００の電源制御をＡＣＰＩで定められたシステムスリーピング状態のＳ５（パワーオフモード）をスタートさせる。このＳ５の状態とは、ＯＳをシャットダウンし、電力を全く消費しない状態である。このとき、電源制御部１７４は、モード制御部１７１からの指示により、ノート型ＰＣ１００の電源状態をＳ５状態に制御する。このＳ５の状態では、ノート型ＰＣ１００のシステム全体はパワーオフ状態にあるが、一部の箇所、具体的にはＡＣアダプタ１０１が抜去されたか否かを検出する箇所（抜去検出部１７７等）は動作状態にある。本実施形態は、アプリケーションが起動していない状態、すなわち、パワーオフモードから開始した場合であっても、盗難防止モードが作動することが特徴となっている。
【００３８】
ステップＳ６０２の処理において、モード制御部１７１は、盗難防止モードが作動しているか否かを判断する。盗難防止モードが作動している（ステップＳ６０２：Ｙｅｓ）と判断すると、ステップＳ６０３の処理へ移行する。盗難防止モードが作動していない（ステップＳ６０２：Ｎｏ）と判断すると、処理を終了する。
【００３９】
ステップＳ６０３の処理において、モード制御部１７１は、ノート型ＰＣ１００を、ＡＣアダプタモニタモードに設定する。具体的には、モード制御部１７１は、電源監視部１７６に対して電源端子１０２のＤＣ（直流）電源を監視させる。そして、電源監視部１７６は、抜去検出部１７７を、ノート型ＰＣ１００の電源端子１０２からＡＣアダプタ１０１が抜き去られるか否かを監視させるＡＣアダプタモニタモードに設定する。
【００４０】
ステップＳ６０４の処理において、抜去検出部１７７は、ノート型ＰＣ１００の電源端子１０２からＡＣアダプタ１０１が抜去されたか否かを判断する。ＡＣアダプタ１０１が抜去された（ステップＳ６０４：Ｙｅｓ）と判断すると、ステップＳ６０５の処理へ移行する。ＡＣアダプタ１０１が抜去されていない（ステップＳ６０４：Ｎｏ）と判断すると、ＡＣアダプタ１０１が抜去されるまで待機する。
【００４１】
ステップＳ６０５の処理において、盗難防止動作制御部１７５は、盗難防止検出モードをスタートする。具体的には、モード制御部１７１は、盗難防止動作制御部１７５に対して、ノート型ＰＣ１００の盗難防止検出モードをスタートさせる旨の指示を出す。すなわち、電源の状態をＢＩＯＳ上で監視しており、ＡＣアダプタ１０１が抜去されたことを検出すると、ステップＳ６０１におけるＳ５（パワーオフモード）と比較してより多くの箇所の電源が起動された状態になる。例えば、後述するステップＳ６０７における警報を鳴動させるオーディオ信号を生成するコーデック等の部分の電源が起動された状態になる。
【００４２】
ステップＳ６０６の処理において、ボタン制御部１７２は、図示しない電源ボタン（パワーボタン）を無能力化する。具体的には、ボタン制御部１７２は、ステップＳ６０５の処理において、盗難防止検出モードがスタートすると、ノート型ＰＣ１００の図示しない電源ボタン（パワーボタン）に対する操作を無効化する。これは、電源ボタン（パワーボタン）を押下（オフ）することにより、警報の鳴動を停止させるという操作を防止するためである。ステップＳ６０７の処理において、報知制御部１７３は、報知部１５９から警報の鳴動を開始する。
【００４３】
ステップＳ６０８の処理において、比較部１７８は、正しいパスワードが入力されたか否かを判断する。正しいパスワードが入力された（ステップＳ６０８：Ｙｅｓ）と判断すると、ステップＳ６０１の処理へ戻り、再びモード制御部１７１（図５）は、ノート型ＰＣ１００の電源制御をＡＣＰＩで定められたシステムスリーピング状態のＳ５（パワーオフモード）をスタートさせる。そして、報知部１５９は、警報の鳴動を停止する。正しいパスワードが入力されない（ステップＳ６０８：Ｎｏ）と判断すると、正しいパスワードが入力されるまで待機すると共に、報知部１５９は、警報の鳴動を継続する。
【００４４】
なお、図６に示した本実施形態に係る情報処理装置の動作フローは、コンピュータ上のプログラムに実行させることもできる。すなわち、情報処理装置を構成するＣＰＵ（制御部）１５１が、ＲＯＭ１５３に格納されたプログラムをロードする。そして、プログラムの各処理ステップが順次実行されることによって行われる。
【００４５】
ここで、パスワードについて説明する。ここでいうパスワードとは、ノート型ＰＣ１００のユーザが、警報の鳴動を停止させるために予め設定しておいたものであり、ノート型ＰＣ１００に対する正当な権限を有するものでない限り、このパスワードを知得することはできない。したって、警報が鳴動した場合、ノート型ＰＣ１００に対する正当な権限を有しないものが、総当たり攻撃を行った場合であっても、警報を停止することはできない。
【００４６】
なお、本実施形態においては、警報を停止させる認証方法として、パスワードを一例に挙げて説明しているが、ノート型ＰＣ１００に対する正当な権限を有する者を認証することができる方法であれば、如何なる方法を用いても良いことは勿論である。例えば、一度限り有効なワンタイムパスワードを用いたり、正当権限を有するユーザの声紋認証、指紋認証、顔認証等の身体的特徴を用いたりしても良い。
【００４７】
次に、本発明の実施形態における情報処理装置に接続するＤＣ（Direct Current）プラグの一例について説明する。図７は、本発明の実施形態における情報処理装置の一例であるノート型ＰＣに接続するＤＣ（Direct Current）プラグの一例について説明する概略図である。なお、図７においては、ＤＣプラグ１０３の一例として、断面形状が円形のものを具体例に挙げて説明しているが、ＤＣプラグ１０３の断面形状は、円形のものに限定されず、様々な形状が有り得る。
【００４８】
図７に示すように、ノート型ＰＣ１００の電源端子１０２に接続されるＡＣアダプタ１０１の先端のＤＣプラグ１０３は、グランド（ＧＮＤ）である外側金属端子１３３と、電源端子である端子内側金属端子１３１と、ＩＤ（Identify）端子である端子内側中心ピン１３２、とから構成される。
【００４９】
このうち、端子内側中心ピン１３２は、ＡＣアダプタ１０１が何ワットタイプのＡＣアダプタであるかといった電力情報、ＩＤ情報等を認識するためのラインになっており、本実施形態においては、この端子内側中心ピン１３２から出力されるパルス信号によってＩＤ情報を認識することとしている。そして、一度ＤＣプラグ１０３がノート型ＰＣ１００の電源端子１０２から抜去されると、仮に抜去したＤＣプラグ１０３を再び電源端子１０２に差し戻したとしても、記憶部１７９に予め記憶されたパスワードを一例とする認証鍵と一致する入力鍵が、入力部１５６から入力されない限り警報は停止しない。
【００５０】
また、ＡＣアダプタ１０１から電源が供給されなくなることを契機としてノート型ＰＣ１００が警報を鳴動すると考えた正当な権限を有しない第三者が、ＡＣアダプタ１０１が供給する電源と同定格の携帯型電源を用意した場合についても手当てを行っている。すなわち、当該第三者が、ＡＣアダプタ１０１を抜去した後、当該携帯型電源をノート型ＰＣ１００の電源端子１０２に差し込んだ場合であっても、当該携帯型電源から出力されるＩＤ情報と、抜去されたＡＣアダプタ１０１のＤＣプラグ１０３の端子内側中心ピン１３２から出力されるＩＤ情報とが一致する確率は極めて低く、また、そもそも警報の鳴動は、記憶部１７９に予め記憶されたパスワードを一例とする認証鍵と一致する入力鍵が、入力部１５６から入力されない限り停止しないので、当該第三者の行為を確実に捕らえることができる。
【００５１】
また、正当な権限を有しない第三者が、警報を停止させるためにバッテリ部１５８に搭載された内蔵バッテリを取り外そうとすることも考えられる。しかしながら、ノート型ＰＣ１００の着脱可能な内蔵バッテリは、展示等される場合、容易に取り外すことができないようにネジ等で固定されていることが殆どであるので、内蔵バッテリが取り外されるまでの長い間警報の鳴動を継続させることが可能である。さらに、ノート型ＰＣ１００の内蔵バッテリが容易に着脱可能な構造である場合は、当該バッテリを、ネジ等を用いて固定し、容易に取り外すことができないような構造にしておくことにより、長時間警報の鳴動を継続することが可能になる。
【００５２】
次に、本発明の実施形態における情報処理装置において、ＡＣアダプタの抜去が誤って行われないようにするための対応について、図８、図９を用いて説明する。図８は、本発明の実施形態における情報処理装置の一例であるノート型ＰＣの電源端子にＡＣアダプタが接続されている状態の一例について説明する概略図である。また、図９は、本発明の実施形態における情報処理装置の一例であるノート型ＰＣの電源端子にＡＣアダプタが接続され、盗難警戒中である旨が明示された状態について説明する概略図である。
【００５３】
図８に示すように、ＡＣアダプタ１０１の先端のＤＣプラグ１０３がノート型ＰＣ１００の操作部筐体１２０の側面に設けられた電源端子１０２に接続された状態で、ＡＣアダプタ１０１が抜去されると警報が鳴動することを何ら注意喚起せずにノート型ＰＣ１００を展示した場合、過誤によってＡＣアダプタ１０１を抜去した場合であっても警報が鳴動するという問題がある。この過誤による警報の鳴動を防止するため、図９に示すように、ＡＣアダプタ１０１を抜くと警報が鳴る旨の注意が明記されたタグ１６１と、点滅するＬＥＤ１５０とからなるダミーのハードウェア（ドングル）を、ＤＣプラグ１０３と電源端子１０２との間に噛ませることにより、防犯警戒中であることを明示するようにしても良い。
【００５４】
なお、これ等の方法以外にも、防犯警戒中である旨を注意喚起する任意の方法を採ることができる。例えば、もっと簡単な方法として、ＡＣアダプタ１０１を束ねるための結束バンド等に、ＤＣプラグ１０３を抜去しないよう警告するための印刷を行ったり、そのような警告が記載されたセキュリティシールのような容易に剥離できないラベル、ステッカー等を、ノート型ＰＣ１００の操作部筐体１２０からＤＣプラグ１０３に渡って貼付したりする方法も考えられる。
【００５５】
以上説明したように、本発明では、情報処理装置の電源がオフ状態にあるパワーオフモードにあることを前提としている。そして、情報処理装置の盗難を防止する盗難防止モードが作動しているか否かを判断する判断部と、判断部により盗難防止モードが作動していると判断されたとき、情報処理装置に供給されている商用電源が断たれたか否かを検出する検出部と、検出部により商用電源の供給が断たれたことが検出されたとき、警報を発する報知部と、を有することとしている。これにより、何らハードウェア機器を付加することなく、簡単かつ安価に盗難を未然に防止することが可能な情報処理装置、情報処理装置の制御方法、及びプログラムを得ることができるのである。
【００５６】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００５７】
１００    情報処理装置（ノート型ＰＣ）
１０１    ＡＣアダプタ
１０２    電源端子
１０３    ＤＣプラグ
１１０    表示部筐体
１２０    操作部筐体
１３１    端子内側金属端子
１３２    端子内側中心ピン
１３３    外側金属端子
１５０    ＬＥＤ
１５１    ＣＰＵ（制御部）
１５２    ＨＤＤ
１５３    ＲＯＭ
１５４    ＲＡＭ
１５５    電源インタフェース
１５６    入力部
１５７    表示部
１５８    バッテリ部
１５９    報知部
１６０    バス
１６１    タグ
１７１    モード制御部
１７２    ボタン制御部
１７３    報知制御部
１７４    電源制御部
１７５    盗難防止動作制御部
１７６    電源監視部
１７７    抜去検出部
１７８    比較部
１７９    記憶部
２００    展示台
３００    展示スペース
４００    商用電源
【図１】
2017097774.tif 000003
【図２】
2017097774.tif 000004
【図３】
2017097774.tif 000005
【図４】
2017097774.tif 000006
【図５】
2017097774.tif 000007
【図６】
2017097774.tif 000008
【図７】
2017097774.tif 000009
【図８】
2017097774.tif 000010
【図９】
2017097774.tif 000011
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
商用電源の供給が断たれたとき内蔵バッテリを電源として動作する情報処理装置であって、前記商用電源が供給されている状態で、前記商用電源の供給が断たれたか否かを検出する検出手段に対して少なくとも電源が供給されているパワーオフモードにおいて、
装置の盗難を防止する盗難防止モードが設定されているか否かを判断する判断手段と、
前記判断手段により前記盗難防止モードが設定されていると判断されたとき、前記商用電源の供給が断たれたか否かを検出する検出手段と、
前記検出手段により前記商用電源の供給が断たれたことが検出されたとき、警報を発する報知手段と、
前記警報を停止させるための認証鍵を予め記憶する記憶手段と、
前記警報が発せられているときに入力された入力鍵と前記認証鍵とを比較する比較手段と、 
を含み、
前記報知手段により前記警報が発せられた場合、前記比較手段により前記入力鍵と前記認証鍵とが一致すると判断され、且つ前記商用電源から出力されるＩＤ情報が、前記警報を発する前と前記警報を発した後とで一致すると判断されたとき、前記報知手段は、前記警報を停止することを特徴とする情報処理装置。
【請求項２】
前記検出手段により前記商用電源の供給が断たれたことが検出されたとき、前記装置を、前記パワーオフモードから、前記内蔵バッテリによって少なくとも前記報知手段に対して電源を供給する盗難防止検出モードへ移行させるモード制御手段を含むことを特徴とする請求項１に記載の情報処理装置。
【請求項３】
前記装置の電源が前記盗難防止検出モードへ移行すると、前記装置の電源ボタンを無効
化するボタン制御部を含むことを特徴とする請求項２に記載の情報処理装置。
【請求項４】
前記比較手段により前記入力鍵と前記認証鍵とが一致すると判断されたとき、前記モード制御手段は、前記装置の電源を前記盗難防止検出モードから前記パワーオフモードへ移行させることを特徴とする請求項２又は３に記載の情報処理装置。
【請求項５】
前記盗難防止モードは、ＢＩＯＳ（Basic Input Output System）メニューにおいて設
定されることを特徴とする請求項１から４の何れか１項に記載の情報処理装置。
【請求項６】
前記盗難防止モードは、アプリケーションを起動した状態でＢＩＯＳにアクセスすることにより設定されることを特徴とする請求項１から４の何れか１項に記載の情報処理装置。
【請求項７】
商用電源の供給が断たれたとき内蔵バッテリを電源として動作し、前記商用電源が供給されている状態で、前記商用電源の供給が断たれたか否かを検出する検出手段に対して少なくとも電源が供給されているパワーオフモードにある情報処理装置の制御方法であって、
装置の盗難を防止する盗難防止モードが設定されているか否かを判断する工程と、
前記判断する工程により前記盗難防止モードが設定されていると判断されたとき、前記
商用電源が断たれたか否かを検出する工程と、
前記検出する工程により前記商用電源の供給が断たれたことが検出されたとき、警報を
発する工程と、
前記警報が発せられているときに入力された入力鍵と、記憶手段に予め記憶されている、前記警報を停止させるための認証鍵とを比較する工程と、 
を含み、
前記警報を発する工程により前記警報が発せられた場合、前記比較する工程により前記入力鍵と前記認証鍵とが一致すると判断され、且つ前記商用電源から出力されるＩＤ情報が、前記警報を発する前と前記警報を発した後とで一致すると判断されたとき、前記警報を発する工程は、前記警報を停止することを特徴とする制御方法。
【請求項８】
商用電源の供給が断たれたとき内蔵バッテリを電源として動作し、前記商用電源が供給
されている状態で、前記商用電源の供給が断たれたか否かを検出する検出手段に対して少
なくとも電源が供給されているパワーオフモードにある情報処理装置に実行させるための
プログラムであって、
装置の盗難を防止する盗難防止モードが設定されているか否かを判断する処理と、
前記判断する処理により前記盗難防止モードが設定されていると判断されたとき、前記
商用電源が断たれたか否かを検出する処理と、
前記検出する処理により前記商用電源の供給が断たれたことが検出されたとき、警報を発する処理と、
前記警報が発せられているときに入力された入力鍵と、記憶手段に予め記憶されている、前記警報を停止させるための認証鍵とを比較する処理と、 
をコンピュータに実行させ、
前記警報を発する処理により前記警報が発せられた場合、前記比較する処理により前記入力鍵と前記認証鍵とが一致すると判断され、且つ前記商用電源から出力されるＩＤ情報が、前記警報を発する前と前記警報を発した後とで一致すると判断されたとき、前記警報を発する処理は、前記警報を停止することを特徴とするプログラム。